(57)【特許請求の範囲】
【請求項１】
第１及び第２の側部材を含む支持フレームと、
前記支持フレームに支持される光フィルタと、
支持フレームをディスプレイモニタから支持してフィルタがディスプレイモニタのディスプレイ領域に隣接して位置決めされるようにする装着手段と、
を具備するビジュアルディスプレイモニタ用の光フィルタスクリーンであって、
装着手段は、
支持フレームの第１及び第２の側部材に摺動可能に係合する摺動係合手段と、
第１の端と対向する第２の端とを有するステム要素と、
ステム要素の第１の端に回転可能に係合する支持要素と、
支持要素を停止位置に維持する停止位置維持装置と、
を含み、
支持要素は、ステム要素の第１の端から外向きに延在してビジュアルディスプレイモニタの頂面に係合してフィルタスクリーンの支持フレームを支持する停止位置と、ステム要素に向けてステム要素と実質的に平行になる様に下向きに折り畳まれた保管位置とを有する光フィルタスクリーン。
【請求項２】
支持要素は、ステム要素と共にヒンジを形成する請求項１記載のフィルタスクリーン。
【請求項３】
支持要素及びステム要素の一方は間に固定された支持ロッドを備える２つのトラニオン要素を含み、支持要素及びステム要素の他方は前記支持ロッドを摺動的に受ける開口を備えたノーズ部を含む請求項１記載のフィルタスクリーン。
【請求項４】
前記停止位置維持装置は、窪みを含む前記支持要素及び前記ステム要素の一方と、前記支持要素が第１の停止位置にあるときに窪みにプレス嵌めされる突起物を含む前記支持要素及び前記ステム要素の他方とを具備する請求項１記載のフィルタスクリーン。
【請求項５】
前記装着手段は調節可能であり、
フィルタがディスプレイモニタのディスプレイ領域に対して動くことができる非ラッチ状態と、ディスプレイフィルタがディスプレイモニタのディスプレイ領域に対して所望の位置に保持されるラッチ状態と、の間を動くことができるラッチ手段を更に具備する請求項１記載のフィルタスクリーン。
【請求項６】
前記調節可能な装着手段は、
ラッチ手段を非ラッチ状態とラッチ状態との間に動かすことができる可動ラッチ操作手段を更に具備する請求項５記載のフィルタスクリーン。
【請求項７】
装着手段は調節可能であり、
支持フレームの第１及び第２の側部材にそれぞれ係合可能な第１及び第２の装着部材を含み、各装着部材は可動ラッチ部材によって規定されるラッチ手段と可動ラッチ操作部によって規定されるラッチ操作手段とを含む請求項１記載のフィルタスクリーン。
【発明の詳細な説明】
発明の背景
本発明は主に光フィルタスクリーンの分野に関する。特に、本発明はビジュアルディスプレイモニタとともに使用できる光フィルタスクリーン用のヒンジ式調節可能な装着機構である。
一般に、半透明な光フィルタスクリーンは、ディスプレイ領域の前部にわたって延在するようにビジュアルディスプレイモニタ（例えば、走査電子管ディスプレイ領域を使用するコンピュータモニタ）に装着され、その目的は、グレアを減少するか、コントラストを増加するか、プライバシーを提供するか、放射シールドを提供するか、静電荷散逸を提供するか、またはこれらの機能の組み合わせを提供するかである。ディスプレイモニタのディスプレイ領域からグレアを減少するか、またはコントラストを増加することにより、ディスプレイモニタの長時間使用に関連する眼の疲労を大幅に減少する。
ビジュアルディスプレイモニタにスクリーンを固定する調節可能な装着機構を有する光フィルタスクリーンは一般に知られている。そのようなフィルタスクリーンは米国特許第５，２２７，９１６号から公知である。
別のフィルタスクリーン及び装着機構は、アメリカ合衆国、マサチューセッツ州ノーウッドのポラロイド社から入手可能であり、図１〜３の先行技術に示す。図１に見られるように、先行技術のフィルタスクリーン１０は、頂部材１４、側部材１６及び底部材１８によって規定されるフレーム１２を含む。フレーム内にフィルタ２０が支持される。装着機構２２は、コンピュータモニタ２６等のビジュアルディスプレイモニタの頂面２４からフィルタスクリーン１０を支持し、フィルタ２０がモニタ２６のディスプレイ領域の前に位置決めされるようにする。
装着機構２２は、左右の頂マウント２８を含み、各マウントは垂直部２９及び水平部３０を有する。小プレート３１が締り嵌めで水平部３０に固定される。小プレート３１の底面３３は、モニタ２６の頂面２４に接着剤で固定される。フック及びループの取付装置(図示せず）が底部材１８に設けられ、その一部がモニタ２６に接着剤で接合される。フック及びループ装置は、モニタ２６のディスプレイ領域の前にフレーム１２を安定させる。小プレート３１、フック及びループ装置、及び水平部３０により、頂マウント２８、従ってフィルタスクリーン１０がモニタ２６に取り付けられる。図３に最良に示すように、フィルタスクリーン１０を取り外す場合は、水平部３０は小プレート３１から取り外せなければならず、フック及びループ装置を外さなければならない。
頂マウント２８の垂直部２９は、フレーム１２の頂部材１４にある穴３４に受けられる。垂直部２９は、トグルクランプ３６によりフレーム１２に解放可能に保持される。水平部３０は垂直部２９を介して軸の回りを回転するか、またはトグルクランプ３６が解除されるときにフレーム１２から更に外へまたは中へ動くことができる。フィルタ１０の高さは、トグルクランプ３６上の垂直部２９の長さに依存する。垂直部２９が穴３４の中でいくらでも調節が可能なため、慎重な配置にもかかわらず左右の垂直部の露出長さの差が発生し、人の気に障る審美的外観になる可能性がある。フレーム１２の高さを初期配置の後で調節しなければならない場合は、フック及びループ装置を再位置決めする必要がある。フィルタスクリーン１０を他のモニタに移すためには、小プレート３１と頂面２４との間の接着結合を解く必要があり、フック及びループ装置を取り外さなければならない。フィルタスクリーン１０を、例えば事務所の引っ越し等の一時的保管のために取り外すときには、小プレート３１等の接着剤塗布部分を含むいくつかの異なるバラバラの部品を保管しなければならない。
小プレート３１は、水平部３０が使用時にフレーム１２に垂直であるならば、比較的正確な位置でモニタ２６の頂面２４に接着剤で結合しなければならない。これは困難な場合が多く、結果として人の気に障る審美的外観になる可能性がある。
調節可能な装着機構を備えた改良された光フィルタスクリーンは引き続き求められている。特に、下記特性を１つ以上有する調節可能な装着機構が求められている。すなわち、設置の容易さ、予め組み立てられること、簡潔な包装及び出荷、安全に保管し輸送できること、モニタから容易に取り外せること、接着面を露出させずに単一部品として初期使用後に保管可能なこと、保管状態であまりスペースを必要としないこと、及び、モニタに設置したときに審美的に満足であること、である。
発明の開示
本発明はビジュアルディスプレイモニタまたは類似物用の光フィルタスクリーンである。フィルタスクリーンは、支持フレームによって支持される光フィルタを含む。グレア防止フィルタがディスプレイモニタのディスプレイ領域に隣接して位置決めされるように、調節可能な装着機構がビジュアルディスプレイモニタから支持フレームを支持する。装着機構は、支持フレームの第１及び第２の側部材に摺動可能に係合する摺動可能係合機構を含む。装着機構は、第１の端と、対向して配置される第２の端とを有するステムも含む。装着機構は、ステムの第１の端に回転可能に係合する支持要素を更に含む。停止位置で支持要素はステムの第１の端から外向きに延在して、モニタの頂面に係合する。支持要素は、折り畳むこともできるため、ステムと実質的に平行になる。
調節可能な装着機構及び回転可能な支持要素を備えた光フィルタスクリーンは、比較的単純である。回転可能な支持要素によりフィルタスクリーンは細い平坦な状態で出荷することができ、使用後にモニタからフィルタスクリーンを取り外して、上から荷重かけられたときでさえ支持要素が壊れる危険のない単一部品として平坦な状態で保管することができる。
装着機構は、回転可能な支持要素を停止位置に維持する停止位置維持装置を含んでもよい。従って、ひとたび装着機構がビジュアルディスプレイモニタに配置されると、支持要素を折り畳み位置に折ることなくスクリーンを取り外し交換することができる。
装着機構は、２つの装着部材を含んでもよく、その各々がステムを含む。各装着部材は、モニタに対するグレア防止フィルタの高さを調節する光フィルタスクリーンのステムに組み込まれた摺動可能なラッチ装置を更に含んでもよい。
摺動可能なラッチ装置は、ラッチ部材とラッ操作部を含んでもよく、ラッチ部材を、フィルタスクリーンをモニタのディスプレイ領域に対して所望の位置に保持するラッチ状態と、ディスプレイ領域に対してフィルタスクリーンが動くことができる非ラッチ状態との間に動かすことができる。フィルタスクリーンは、多大な力を使用することなく、または装着部材をフィルタスクリーンから取り外すことなく、ディスプレイ領域に対して滑らかに且つ容易に調節することができる。従って、この装着部材の配置により、装着機構を備えたフィルタスクリーンのフィルタを、最小の手動操作でモニタのディスプレイ領域に対して容易に同じ高さにして適切に中央に置くことができ、安全な保管及び輸送ができる。
【図面の簡単な説明】
図１Ａ、１Ｂは、先行技術の光フィルタスクリーン及びビジュアルディスプレイモニタに固定された装着機構の斜視図である。
図２Ａ、２Ｂは、図１の先行技術の光フィルタスクリーンの装着機構の調節の詳細を示す斜視図である。
図３は、先行技術のフィルタスクリーンに固定されビジュアルディスプレイモニタから外された先行技術の装着部材の斜視図である。
図４は、本発明の光フィルタスクリーン及び装着機構の斜視図である。
図５は、図４のフィルタスクリーンの側部材及び装着機構の装着部材の詳細を示す拡大斜視図である。
図６Ａ、６Ｂは、本発明のステム要素の図である。
図７Ａ〜７Ｃは、本発明の支持要素の図である。
図７Ｄ、７Ｅは、本発明の停止位置維持装置の図である。
図８は、本発明の保管位置にあるステム要素に係合する支持要素を示す。
図９は、図５に示した装着部材のラッチ部材のラッチ状態を示す図５の線９−９に沿って切った断面図である。
図１０は、図９と同様の、装着部材のラッチ部材の非ラッチ状態を示す断面図である。
図１１は、図９と同様の断面図であり、装着部材は本発明のグレア防止スクリーンの側部材から取り外されている。
好適な実施態様の詳細な説明
本発明による装着機構１０２を有する光フィルタスクリーン１００は主に図４、５に示される。フィルタスクリーン１００は、頂部材１０６、側部材１０８及び底部材１１０によって規定されるフレーム１０４を含む。フレーム１０４内に光フィルタ１１２が支持される。図４に最良に見られるように、装着機構１０２は、コンピュータモニタ１１６等のビジュアルディスプレイモニタの頂面１１４からフィルタスクリーン１００を支持するため、光フィルタ１１２はコンピュータモニタ１１６のディスプレイ領域１１８の前に位置決めされる。装着機構１０２は、一対の装着部材１２０Ａ、１２０Ｂを含む。特に装着部材１２０Ａのみに関して詳述する。
図５に最良に見られるように、装着部材１２０Ａは、第１の端１２４Ａ及び第２の端１２６Ａを有するステム要素１２２Ａを含む。支持要素１２８Ａがステム要素１２２Ａの第１の端１２４Ａに回転可能に係合する。第１の位置で支持要素１２８Ａはステム要素１２２Ａの長手方向の広がりに対して実質的に垂直に延在する。図４に最良に見られるように、装着部材１２０Ａ、１２０Ｂの支持要素１２８Ａ、１２８Ｂは、それぞれ、第１の位置にあるとき、コンピュータモニタ１１６の頂面１１４に係合して、フィルタスクリーン１００を支持し、フィルタ１１２がモニタ１１６のディスプレイ領域１１８の前面に位置決めされる。支持要素１２８Ａ、１２８Ｂの底面はそれぞれフォームラバーパッド１３０Ａ、１３０Ｂを含み、装着部材１２０Ａ、１２０Ｂの動きを防止する助けをし、それによってモニタ１１６のディスプレイ領域１１８に対する光スクリーン１００の動きを防止する助けをする。第２の位置では、図８に最良に見られるように、支持要素１２８Ａは、ステム要素１２２Ａに対して下向きに折り畳まれ、ステム要素１２２Ａに実質的に平行である。
図６Ａ、Ｂ、７Ａ〜Ｃに最良に見られるように、装着部材１２０Ａは、支持要素１２８Ａを受けるステム要素１２２Ａを具備する。反対方向に対向する２つのトラニオン要素２０２、２０４はステム要素１２２Ａの後壁１８０と一体であり且つそれに対して実質的に垂直に延在する。トラニオン要素２０２、２０４の外面は、ステム要素１２２Ａの外縁と実質的に同面にある。トラニオン要素２０２、２０４は、固定ロッド２０８または車軸、あるいは、ロッドまたは車軸２０８を固定位置に支持する穴２０６を備えて設けられる。はロッドまたは車軸２０８の軸は、ステム要素１２２Ａの長手方向の軸に実質的に垂直であり、ステム要素１２２Ａの後壁１８０から間隔をおいて配置される。外トラニオン要素２０４は、ステム要素１２２Ａの後壁１８０と一体であり且つそれに対して実質的に垂直に延在する第１の脚１３２Ａと一体的に形成される。各トラニオン要素２０２、２０４は、水平線にある位置から穴２０６または固定ロッド２０８の中心を通り、上方のステム要素１２２Ａの第１の端１２４Ａの端面へ向かうおよそ９０度の弧にわたって延在する弓形部２１０を有する。トラニオン要素２０２、２０４の端面２１２は、第１の端１２４Ａの端面と同面にあり、ステム要素１２２Ａに垂直に延在する。トラニオン２０２または２０４の垂直面は、弓形部２１０の上端からトラニオン要素２０２または２０４の端面へ走る。
支持要素１２８Ａ、１２８Ｂは、同一でよい。対称型により、１つの製品設計を使用することができる。本発明はそれに限定されない。図７Ａ〜Ｃに最良に見られるように、支持要素１２８Ａは、平坦な支持部３０２を含み、その下面は、フォームラバー高摩擦パッド１３０Ａを受けるよう設けられる。ノーズ部３０６が平坦な支持部３０２の一端３０４と一体であり、端３０４の中央部に配置される。ノーズ部３０６は平坦な支持部３０２の平面に垂直に延在する。ノーズ部３０６の両側に端３０４のショルダー部３０８がある。ノーズ部３０６の内部に開口３１０が設けられる。開口３１０はテーパ状入口部３１２を備えて設けられ、半円開口３１４に通じ、その直径はステム要素１２２Ａのロッドまたは車軸２０８と締り滑り嵌めを形成するように配される。テーパ部３１２の内端の領域（図示せず）は、ロッドまたは車軸２０８の直径よりわずかに小さい寸法であるため、ロッドまたは車軸２０８はロッドまたは車軸２０８が開口３１４の応力の残留していない位置に達する前にこの制限を軽く超えなければならない。ノーズ部３０６の外縁は、図７Ａに最良に示すように、弓形であることが好ましいため、ロッドまたは車軸２０８が開口３１４内にあるとき、支持要素１２８Ａは車軸またはロッド２０８の周りを回転しながら、弓形面とステム要素１２２Ａの後壁１８０との間に所定の距離を維持する。
支持要素１２８Ａ及びステム要素１２２Ａは、図８に最良に示すように、ステム要素１２２Ａのロッドまたは車軸２０８にわたって支持要素１２８Ａのテーパ部３１２を、ロッドまたは車軸２０８が開口３１４の端位置に到達するまで摺動することによって、一緒に組み立てられる。支持要素１２８Ａ及びステム要素１２２Ａは、第１の位置で支持要素１２８Ａが停止位置にあるステム要素１２２Ａに実質的に垂直に延在するような寸法である。支持要素１２８Ａの端３０４のショルダー部３０８及び／またはノーズ部３０６の外端面３１８は、それぞれ、トラニオン要素２０２、２０４の垂直面２１４、またはステム要素１２２Ａの後壁１８０に当接する。フィルタスクリーン１１０がモニタ１１６に装着され、構造が前から見えるとき、ヒンジ機構の詳細を見ることができないならば、これは好ましい。
装着部材１２０Ａ、１２０Ｂは、支持要素１２８Ａ、１２８Ｂをそれぞれの停止位置に維持する停止位置維持装置を含んでもよい。例えば、小突起２１６（図６Ｂに最良に示す）をトラニオン要素２０２または２０４の内側面に設け、小突起２１６は支持要素１２８Ａの通過窪み３１６（図７Ａに最良に示す）と協働して、支持要素１２８Ａ、１２８Ｂが第１の位置にあるとき支持要素１２８Ａ、１２８Ｂをその重量に対して保持してもよい。
あるいは、ノーズ部３０６の外端面３１８は、詳細図７Ｄに最良に示すように、開口３１４の中央から離れた方向に少量だけ、且つ支持要素１２８Ａに対して長手方向に延在して、ステップ３０７を形成する。ステップ３０７は０．０５インチでよい。開口３１４の中央と開口３１４への垂線に沿った外端面３１８との間の距離は、支持要素１２８Ａがロッドまたは車軸２０８の周りを作業位置に向けて回転するときに、平坦な支持部３０２から離れたステップ３０７の端３０９がステム要素１２２Ａの後壁１８０にわずかに締り嵌めするように選択される。支持要素１２８Ａ上により多くの回転モーメントを用いることによって端３０９は締り嵌め位置を越えて動くことができるため、平らな端面３１８はステム要素１２２Ａの後面１８０に当接する。この位置で平らな端面３１８と後面１８０との間に干渉がないため、配置に応力が残留していないならば、これが好ましい。ステップ３０７の端３０９と後面１８０との間の干渉は、この位置で支持要素１２８Ａをその重量に対して維持するほど十分である。
停止位置維持装置は、図７Ｅに最良に示すように、１つ以上の対応平坦部３１１を備えたロッドまたは車軸２０８及び開口３１４を提供するか、またはロッドまたは車軸２０８及び開口３１４を幾分矩形または方形に作るか（図示せず）を含んでもよい。平坦部３１１をロッドまたは車軸２０８及び開口３１４の適切な位置に配置することによって、支持要素１２８Ａをその重量に対して停止位置に維持することができる。
図８に最良に示すように、支持要素１２８Ａは、第２の位置すなわち保管位置でステム要素１２２Ａに実質的に平行である。支持要素１２２Ａは、装着機構１０２がフレーム１０４に装着されるか否かとは無関係に、保管位置に動く（回転する）ことができる。
上述のように、本発明の実施例は、ステム要素１２２Ａ上にトラニオン要素２０２、２０４と、支持要素１２８Ａ上にノーズ部３０６とを含む。トラニオン要素２０２、２０４が支持要素１２８Ａ上に設けられ、ステム要素１２２Ａがノーズ部３０６を含む配置（図示せず）は本発明の範囲に含まれる。更に、開口３１０を各トラニオン要素２０２、２０４内に設け、ロッドまたは車軸２０８をノーズ部３０６上に設けてもよい（図示せず）。
図９〜１１に最良に見られるように、ステム要素１２２Ａの第２の端１２６Ａは、ステム要素１２２Ａと一体でありステム要素１２２Ａに対して実質的に垂直に延在する第１の脚１３２Ａを含む。第１の脚１３２Ａの自由端は外向きに延在する押縁１３４Ａを含む。装着部材１２０Ａがフレーム１０４の側部材１０８に固定されるとき、第１の脚１３２Ａは側部材１０８の前面１３６に当接し、押縁１３４Ａは側部材１０８の長さ方向に沿って延在する長手方向のチャネル１３８に係合する。長手方向のチャネル１３８によって、装着部材１２０Ａは側部材１０８の長さ方向に沿って動くことができる。
ステム要素１２２Ａの第２の端１２６Ａは、ステム要素１２２Ａと一体である可動ラッチ部材１４０Ａを更に含む。ラッチ部材１４０Ａの自由端は外向きに延在するラッチ押縁１４２Ａを含む。図５に最良に見られるように、側部材１０８の外面１４４は複数の線状に配置されたラッチ窪み１４６を含む。ラッチ窪みはラッチ畝１４８によって分けられ、各ラッチ畝１４８は山形の頂面と実質的に垂直な底面１５２とを有する。
図５に見られるように、ステム要素１２２Ａは、ラッチ部材１４０Ａの両側に切り欠き１５４Ａ、１５５Ａを含む。切り欠き１５４Ａ、１５５Ａにより、図１０の両方向を示す矢印１５６によって表されるように、ディスプレイフィルタ１１２に実質的に平行な方向にあるフレーム１０４の側部材１０８に対して、ラッチ部材１４０Ａは曲がる（すなわち、動く）ことができる。ラッチ部材１４０Ａは、フィルタスクリーン１００が装着部材１２０Ａ、１２０Ｂ及びディスプレイモニタ１２６のディスプレイ領域１２８に対して垂直方向に動く（図５の両方向を示す矢印１５７によって表されるように）非ラッチ状態と、フィルタスクリーン１００がディスプレイ領域１１８に対して所望の位置に保持されるラッチ状態との間を動くことができる（すなわち、曲げることができる）。ラッチ押縁１４２Ａは複数のラッチ窪み１４６のいずれの１つに係合することができ、グレア防止スクリーン１００の所望の位置を規定する。
装着部材１２０Ａは、ステム要素１２２Ａの長手方向の広がりと一体であり、それに対して実質的に垂直に延在する第２の脚すなわちラッチ操作部１５８Ａを更に含む。ラッチ操作部１５８Ａは、外向きに延在する押縁要素１６０Ａを含む。図９〜１１に見られるように、装着部材１２０Ａがフレーム１０４の側部材１０８に固定されるとき、ラッチ操作部１５６Ａは側部材１０８の後面１６１に隣接し、押縁要素１６０Ａは側部材１０８の長さ方向に沿って延在する長手方向スロット１６２に係合する。長手方向スロット１６２によって、装着部材１２０Ａは側部材１０８の長さ方向に沿って動く。
図１０に見られるように、切り欠き１５５Ａによって、ラッチ部材１５８Ａはステム要素１２２Ａに対して垂直方向（図１０の両方向を示す矢印１６４によって表されるように）に曲がる（すなわち、動く）ことができる。ラッチ操作部１５８Ａは、ラッチ操作部１５８Ａのカム部材１６６Ａがラッチ部材１４０Ａの面取りされた面から間隔をおいて配置される（図９参照）係合解除状態と、カム部材１６６Ａがラッチ部材１４０Ａの面取りされた面に係合し、それによってラッチ部材１４０Ａが窪み１４６との係合からはずれ、それによって装着部材１２０Ａがフィルタスクリーン１００に対して動くことができる係合状態と、の間を手で（すなわち、指で押して）動かすことができる。装着部材１２０Ａ、１２０Ｂに対するフィルタスクリーン１００の動きによって、フィルタ１１２がモニタ１１６のディスプレイ領域１１８に対して容易に同じ高さになり、適切に中央に置かれる。
更に、装着部材１２０Ａを、畝１４８の山形頂面１５０のため、ラッチ操作部１５８Ａを作動させずにフィルタスクリーン１００に対して１つの方向に（方向を示す矢印１５７によって表されるように）動かすことができる。山形頂面１５０によって、装着部材に十分な力を加えると、ラッチ部材１４０Ａが畝１４８上に簡単に上ることができる。畝１４８の垂直な底面１５２は、１５７Ａによって示される方向に対する反対の方向へそのように容易に動くのを防止する。
図５に見られるように、側部材１０８の外面１４４は窪み１４６の下（図示）または上（図示せず）に配置された切り欠き１７２を含む。図１１に見られるように、押縁要素１６０Ａが切り欠き１７２内の中央に置かれるように装着部材１２０Ａが位置決めされるとき、装着部材１２０Ａは、クリーニングのため、または損傷した装着部材を交換するために、フレーム１０４の側部材１０８から外すことができる。
ヒンジ式装着機構１０２を備えた光フィルタスクリーン１００は比較的単純である。更に、一対の装着部材１２０Ａ、１２０Ｂを備え、各装着部材１２０Ａ、１２０Ｂはラッチ部材１４０Ａ、１４０Ｂ及びラッチ操作部１５８Ａ、１５８Ｂを有して、ラッチ部材１４０Ａ、１４０Ｂを、フィルタスクリーン１００をモニタ１１６のディスプレイ領域１１８に対して所望の位置に保持するラッチ状態とフィルタスクリーン１００をディスプレイ領域１１８に対して動かすことのできる非ラッチ状態との間に動かすことのできるフィルタスクリーン１００を提供することによって、フィルタスクリーン１００は、多大な力を使用せずに、または装着部材１２０Ａ、１２０Ｂをフィルタスクリーン１００から外さずに、ディスプレイ領域１１８に対して滑らかに且つ容易に調節することができる。
この装着部材の配置により、フィルタスクリーン１００は輸送のため小さなスペースに包装することができ、ビデオユニットに容易に取り付けることができる。装着部材１２０Ａ、Ｂのヒンジ式設計により、フィルタを取り外し、一部品に折り畳んだ位置に保管することができ、接触面を露出しない。更に、この装着部材の配置により、フィルタスクリーン１００のフィルタ１１２を、最小の手動操作でモニタ１１６のディスプレイ領域１１８に対して容易に同じ高さにし、適切に中央に置くことができる。
本発明は好適な実施態様に関して詳述したが、当業者は本発明の精神及び範囲から逸脱することのない形態及び詳細で変更を加えることができることを認めるであろう。
【図１Ａ】
0003899381.tif 000002
【図１Ｂ】
0003899381.tif 000003
【図２Ａ】
0003899381.tif 000004
【図２Ｂ】
0003899381.tif 000005
【図３】
0003899381.tif 000006
【図４】
0003899381.tif 000007
【図５】
0003899381.tif 000008
【図６Ａ】
0003899381.tif 000009
【図６Ｂ】
0003899381.tif 000010
【図７Ａ】
0003899381.tif 000011
【図７Ｂ】
0003899381.tif 000012
【図７Ｃ】
0003899381.tif 000013
【図７Ｄ】
0003899381.tif 000014
【図７Ｅ】
0003899381.tif 000015
【図８】
0003899381.tif 000016
【図９】
0003899381.tif 000017
【図１０】
0003899381.tif 000018
【図１１】
0003899381.tif 000019